(57)【要約】【課題】簡単な装置構成で衛生的であり家庭に導入しやすい小型軽量の岩盤浴ユニットを提供すること。【解決手段】  可搬性を有するベッド体３００およびカバー体２００により構成され、ベッド体３００上部にはカバー体２００により人が伸身して横たわることができる空間が形成された岩盤浴ユニット１００であって、ベッド体３００は、その上面に着脱可能に敷設された多数の岩盤板３１１と、端部に設けられ岩盤板３１１と同種または異種の玉石３２１を投入する玉石桶３２２および蒸気桶３３０と、電熱器と、温水導水パイプと、を具備し、カバー体２００は、出入口２０２を具備したたことを特徴とする岩盤浴ユニット１００。【選択図】図２
2009018076.tif 000002
【特許請求の範囲】
【請求項１】
可搬性を有するベッド体およびカバー体により構成され、ベッド体上部にはカバー体により人が伸身して横たわることができる空間が形成された岩盤浴ユニットであって、
ベッド体は、
ベッド体上面に着脱可能に敷設された多数の岩盤板と、
ベッド体端部に設けられ前記岩盤板と同種または異種の岩盤玉石を投入する桶体と、
ベッド体端部に設けられ上部が開口し水が張られた水槽と、
電熱器と、
内部の水を前記電熱器により温めつつ環流させ、岩盤板、岩盤玉石、および、水槽中の水とを加温する温水導水パイプと、
を具備し、
カバー体は、
短手方向から出入りできる出入口を具備したことを特徴とする岩盤浴ユニット。
【請求項２】
前記岩盤板および岩盤玉石は、天照石、ラジウム鉱石、トルマリン鉱石、ゲルマニウム鉱石、溶岩石、麦飯石、黄土石、角閃石、翠石、天寿石、または、前記各石を粒体ないし粉体にしてから成型したものの中から選ばれたものであることを特徴とする請求項１に記載の岩盤浴ユニット。
【請求項３】
カバー体の外観および外形を、木目調その他の家具調にした略直方体であることを特徴とする請求項１または２に記載の岩盤浴ユニット。
【請求項４】
カバー体のうち、前記出入口から見て奥上側の辺を長手方向に切り欠き、内部を５角柱形状としたことを特徴とする請求項１、２または３に記載の岩盤浴ユニット。
【請求項５】
前記岩盤板はベッド体の長手方向に対称に敷設され、長手方向端部には長手方向に対称かつ着脱可能に木板を敷設したことを特徴とする請求項１〜４のいずれか一つに記載の岩盤浴ユニット。
【請求項６】
前記木板の下には前記温水導水パイプを配管しないようにしたことを特徴とする請求項５に記載の岩盤浴ユニット。
【請求項７】
前記温水導水パイプは、水槽桶体用ループと岩盤板用ループとの独立した系統に分かれており、
いずれか一方が前記電熱器で加温され、他方は、熱交換器を介して加温されることを特徴とする請求項１〜６のいずれか一つに記載の岩盤浴ユニット。
【請求項８】
温水導水パイプのうち少なくとも岩盤板を加温する部分は、平板状の断熱体と熱伝導体である金属の板状体との間に張り巡らされて挟装され、前記岩盤板は前記板状体上に着脱可能に敷設されていることを特徴とする請求項１〜７のいずれか一つに記載の岩盤浴ユニット。
【発明の詳細な説明】
【技術分野】
【０００１】
本発明は、一人用の岩盤浴ユニットに関し、特に、家庭用としても用いることのできる外観を有する小型の岩盤浴ユニットに関する。
【背景技術】
【０００２】
従来、一般家庭で用いることのできる岩盤浴用ベッドが知られている（特許文献１、特許文献２）。これらは、温熱配管により直接または間接的に岩盤やセラミックボールを加熱し、遠赤外線等により温浴が可能となっている。
【０００３】
また、同様に、一般家庭で用いることのできるサウナベッドも知られている（特許文献３）。これは、室内を蒸気で充満させ発汗作用を得るものである。
【０００４】
【特許文献１】特開２００６−２３０８１４号公報
【特許文献２】特開２００１−７０４６３号公報
【特許文献３】特開２００４−１９４９２３号公報
【発明の開示】
【発明が解決しようとする課題】
【０００５】
しかしながら、従来の技術では以下の問題点があった。
まず、特許文献１に係る発明では、ガス給湯装置から温水を供給するため、ガス漏れの危険性があり、効率もよくないという問題点があった。また、架台部にコンクリート板を用いるため重くなり、容易に移設や移動ができず、設置場所が限定されてしまうという問題点があった。
【０００６】
また、特許文献２に係る発明は、設備費を安くするために小型化しただけであり、厚いコンクリート層を蓄熱体として設けるため、上記と同様で容易に移設や移動ができず、設置場所が限定されてしまうという問題点があった。また、コンクリート層が蓄熱体であるため、温まるまでに時間がかかり手軽に利用できないという問題点があった。
【０００７】
また、特許文献３に係る発明は、温水用の熱源と蒸気供給用の熱源が別々であり、装置構成が複雑であるという問題点があった。
【０００８】
本発明は上記に鑑みてなされたものであって、簡単な装置構成で衛生的であり家庭に導入しやすい岩盤浴ユニットを提供することを目的とする。
【課題を解決するための手段】
【０００９】
上記の目的を達成するために、請求項１に記載の岩盤浴ユニットは、可搬性を有するベッド体およびカバー体により構成され、ベッド体上部にはカバー体により人が伸身して横たわることができる空間が形成された岩盤浴ユニットであって、ベッド体が、ベッド体上面に着脱可能に敷設された多数の岩盤板と、ベッド体端部に設けられ前記岩盤板と同種または異種の岩盤玉石を投入する桶体と、ベッド体端部に設けられ上部が開口し水が張られた水槽と、電熱器と、内部の水を前記電熱器により温めつつ環流させ、岩盤板、岩盤玉石、および、水槽中の水とを加温する温水導水パイプと、を具備し、カバー体が、短手方向から出入りできる出入口を具備したたことを特徴とする。
【００１０】
すなわち、請求項１に係る発明は、蒸気による発汗誘発機能（サウナ機能）と石による温浴機能とを兼ね備え、温浴機能については更に石板と玉石の種類を変えて効能を選べ、個人で楽しめる安全性の高い小型の岩盤浴ユニットを提供可能となる。また、石板も玉石も取り外しや取り出しが可能であるので、使用後は石もユニット内部も洗浄可能で衛生的に使用することができる。また、温水導水パイプを用いて熱伝達媒体である温水を環流させるため、ムラ無く全体を一様に加温できる。
【００１１】
また、請求項２に記載の岩盤浴ユニットは、請求項１に記載の岩盤浴ユニットにおいて、前記岩盤板および岩盤玉石が、天照石、ラジウム鉱石、トルマリン鉱石、ゲルマニウム鉱石、溶岩石、麦飯石、黄土石、角閃石、翠石、天寿石、または、前記各石を粒体ないし粉体にしてから成型したものの中から選ばれたものであることを特徴とする。
【００１２】
すなわち、請求項２に係る発明は、岩盤浴に汎用される石を用いて効能を高めることが可能となる。なお、成型したものとは、たとえば、セラミックボールのように粘土を混ぜて焼成する例を挙げることができる。
【００１３】
また、請求項３に記載の岩盤浴ユニットは、請求項１または２に記載の岩盤浴ユニットにおいて、カバー体の外観および外形を、木目調その他の家具調にした略直方体であることを特徴とする。
【００１４】
すなわち、請求項３に係る発明は、収納ボックスや台のように見せることができ、家庭に設置しても違和感を生じさせない。
【００１５】
また、請求項４に記載の岩盤浴ユニットは、請求項１、２または３に記載の岩盤浴ユニットにおいて、カバー体のうち、前記出入口から見て奥上側の辺を長手方向に切り欠き、内部を５角柱形状としたことを特徴とする。
【００１６】
すなわち、請求項４に係る発明は、利用者の出入りや姿勢を変える際の障害となることなく、室内（請求項１にいう空間）の容積を少なくすることが可能となる。これにより、熱効率を向上させることができる。
【００１７】
また、請求項５に記載の岩盤浴ユニットは、請求項１〜４のいずれか一つに記載の岩盤浴ユニットにおいて、前記岩盤板がベッド体の長手方向に対称に敷設され、長手方向端部には長手方向に対称かつ着脱可能に木板を敷設したことを特徴とする。
【００１８】
すなわち、請求項５に係る発明は、どちらを頭にしても横臥可能となり、また、のぼせにくくなる。また、木板も着脱できるため衛生的である。更に、木からはフィトンチッドが放出されるので、新鮮な木板を用いることにより森林浴効果も発揮できる。なお、長手方向に対称とは、縦長のベッド部の中央から頭または足の方向に向けて対称であることをいう。
【００１９】
また、請求項６に記載の岩盤浴ユニットは、請求項５に記載の岩盤浴ユニットにおいて、前記木板の下には前記温水導水パイプを配管しないようにしたことを特徴とする。
【００２０】
すなわち、請求項６に係る発明は、頭の部分の板体を熱しないのでのぼせず、また、岩盤体への加熱効率を上昇させることができ、電熱器の少容量化（小能力化）ひいては可搬性を向上させることも可能となる。
【００２１】
また、請求項７に記載の岩盤浴ユニットは、請求項１〜６のいずれか一つに記載の岩盤浴ユニットにおいて、前記温水導水パイプが、水槽桶体用ループと岩盤板用ループとの独立した系統に分かれており、いずれか一方が前記電熱器で加温され、他方は、熱交換器を介して加温されることを特徴とする。
【００２２】
すなわち、請求項７に係る発明は、水槽桶体用ループと岩盤板用ループとを別々に管理可能となり低温高湿から高温低湿まで種々の設定が可能となる。
【００２３】
また、請求項８に記載の岩盤浴ユニットは、請求項１〜７のいずれか一つに記載の岩盤浴ユニットにおいて、温水導水パイプのうち少なくとも岩盤板を加温する部分が、平板状の断熱体と熱伝導体である金属の板状体との間に張り巡らされて挟装され、前記岩盤板は、前記板状体上に着脱可能に敷設されていることを特徴とする。
【００２４】
すなわち、請求項８に係る発明は、熱放射を岩盤板側に集中させて伝熱効率を上昇させることができる。なお、板状体とは、板そのものの形状である他、巨視的に平面的に見えればよく、たとえば、波板を含み、また、温水導水パイプを埋入して外部からは平板と見せるような態様も含まれるものとする。また、アルミ面テープで温水導水パイプを断熱体に貼着して表面を金属の板状体（板様体）にみせる態様も含まれるものとする。
【発明の効果】
【００２５】
本発明によれば、簡単な装置構成で衛生的であり家庭に導入しやすい小型軽量の岩盤浴ユニットを提供することが可能となる。また、構造が複雑でなく簡易な構成であるため、一般家庭でも購入できるような安価な装置とすることが可能となる。
【００２６】
より具体的には、本発明（請求項１）によれば、蒸気による発汗誘発機能（サウナ機能）と石による温浴機能とを兼ね備え、温浴機能については更に石板と玉石の種類を変えて効能を選べ、個人で楽しめる安全性の高い小型の岩盤浴ユニットを提供可能となる。また、石板も玉石も取り外しや取り出しが可能であるので、使用後は石もユニット内部も洗浄可能で衛生的に使用することができる。また、温水導水パイプを用いて熱伝達媒体である温水を環流させるため、ムラ無く全体を一様に加温できる。
【００２７】
また、本発明（請求項２）によれば、岩盤浴に汎用される石を用いて効能を高めることが可能となる。
【００２８】
また、本発明（請求項３）によれば、家庭に設置しても違和感を生じさせない。
【００２９】
また、本発明（請求項４）によれば、利用者の出入りや姿勢を変える際の障害となることなく、室内（請求項１にいう空間）の容積を少なくし、熱効率を向上させることができる。
【００３０】
また、本発明（請求項５）によれば、横臥方向を選択でき、また、のぼせにくくなる。更に、木板も着脱できるため衛生的である。更に、新鮮な木板を用いて森林浴効果も発揮する。
【００３１】
また、本発明（請求項６）によれば、頭の部分の板体を熱しないのでのぼせず、また、岩盤体への加熱効率を上昇させることができ、電熱器の少容量化（小能力化）ひいては可搬性を向上させることも可能となる。
【００３２】
また、本発明（請求項７）によれば、水槽桶体用ループと岩盤板用ループとを別々に管理可能となり低温高湿から高温低湿まで種々の設定が可能となる。
【００３３】
また、本発明（請求項８）によれば、熱放射を岩盤板側に集中させて伝熱効率を上昇させることができる。
【発明を実施するための最良の形態】
【００３４】
以下、本発明の実施の形態を図面を参照しながら詳細に説明する。
図１は、本発明の岩盤浴ユニットの外観斜視図である。図２は、本発明の岩盤浴ユニットのベッド体の外観斜視図である。図３は、本発明の岩盤浴ユニットのベッド体の平面図である。
【００３５】
図１に示したように、岩盤浴ユニット１００は、カバー体２００とベッド体３００とを基本構成とし、カバー体２００は、ベッド体３００に覆い被せることができ、これにより、人が伸身して横たわることができるドーム状の空間を形成する。
【００３６】
カバー体２００には、採光用の透明窓２０１と、出入口２０２と、取っ手２０３と、が形成され、ベッド体３００の側周部には、温度調整つまみ３０１と、湿度調整つまみ３０２と、温度モニタ３０３と、湿度モニタ３０４と、が形成されている。
【００３７】
温度調整つまみ３０１は、電源のオンオフのスイッチを兼ね、電源オンの状態となった後は、回転により温度を調節する。湿度調整つまみ３０２は、回転により湿度を調節する。温度モニタ３０３は、デジタル表示により室内の温度を表示する。場合によっては、岩盤板部分と岩盤玉石部分と、温水部分と、室内上空部分の温度をそれぞれ表示するようにしてもよい。湿度モニタ３０４は、デジタル表示により室内の湿度を表示する。なお、本例では、モニタはユニット外部にのみ設けているが、ユニット内部に設けてもよい。
【００３８】
なお、カバー体２００の大きさは、１９５ｃｍ×８６ｃｍ×９４ｃｍであり、杉材からできている。高さが確保されているので室内移動を容易としている。厚みは約３．３ｃｍである。よって、重量を５０ｋｇ以内に抑えることができ、大人二人で取り外すことが十分に可能である。また、杉材を用いているので、木目調であり、家屋内に設置しても何ら違和感が生じない。
【００３９】
次に、ベッド体３００について説明する。図２に示したように、ベッド体３００の上面には、岩盤板３１１が敷き詰められ、端部に縦長に、玉石部３２０と蒸気桶３３０とが設けられている。この他、ベッド体３００の上面には、中板３１４と、端板３１５、３１６と、接合縁３１７と、がある。
【００４０】
岩盤板３１１は、３０ｃｍ×３０ｃｍ×２ｃｍの石板であり、８枚を後述のアルミ平板の上に敷設する。素材は、岩盤浴に一般的に用いられるものであれば特に限定されないが、天照石、ラジウム鉱石、トルマリン鉱石、ゲルマニウム鉱石、溶岩石、麦飯石、黄土石、角閃石、翠石、天寿石などを挙げることができる。また、これらを砕石したものを適宜粘土等に混ぜ成型焼成したものを用いてもよい。岩盤板３１１は、着脱可能に敷設しているので、適宜取り外し、洗浄殺菌することができ、岩盤浴ユニット１００を衛生的に保つことが可能となる。
【００４１】
なお、頭もしくは足がくる長手方向の両端部には檜の端板３１５および端板３１６を敷設する。また、中央には短手方向に細長の木の中板３１４を敷設する。大きさは、端板３１５および３１６が、６０ｃｍ×２５ｃｍ×２ｃｍであり、中板３１４が６０ｃｍ×１２ｃｍ×２ｃｍである。素材は檜でなくてもよいが、檜を用いると高級感が伴い、檜風呂のような独特の香りが室内に充満し、好ましい。中板３１４、端板３１５および端板３１６も、岩盤板３１１同様、着脱可能に敷設しているので、適宜取り外し、洗浄殺菌できる。なお、香りを放出しなくなったときに新品と交換するようにしてもよい。
【００４２】
玉石部３２０は、多数の玉石３２１が玉石桶３２２の中に充填された構成である。玉石桶３２２は温水導水パイプ（送湯管）３１８が貫入しており（図３参照）、玉石３２１を加熱するようになっている。玉石３２１は岩盤浴に一般的に用いられるものであれば特に限定されないが、天照石、ラジウム鉱石、トルマリン鉱石、ゲルマニウム鉱石、溶岩石、麦飯石、黄土石、角閃石、翠石、天寿石などを挙げることができる。自然の状態で角が取れていない場合は、これらを砕石し適宜粘土等に混ぜセラミックボールとして焼成したものを充満させてもよい。また、玉石３２１が岩盤板３１１と同種の石であってもよいが、異種とすれば温浴の相乗効果も期待できる。玉石桶３２２の素材は特に限定されないが、たとえば、ステンレス素材とすることができる。
【００４３】
蒸気桶３３０は、断熱材で囲まれたステンレス製の樋状の湯桶（水槽）である。蒸気桶３３０は、温水導水パイプ３１８から温められた温水が供給され蒸気を放出する構成となっている。これにより、発汗誘発機能を実現する。なお、熱容量を小さくするため、容積は２リットル程度が好ましい。玉石桶３２２も蒸気桶３３０もステンレス製であり、室内を衛生的に保つことができる。
【００４４】
次に、熱伝達機構を説明する。図４は、本発明の熱伝達機構のうち、主として岩盤板３１１を加熱する部分を説明する模式図である。熱伝達は、熱源を電熱器４０１とし温水導水パイプ４０２中の水を温めポンプ４０３により環流させるようにしている。電熱器４０１は電気を用いるので、ボイラーのようなガス漏れまたは不完全燃焼による一酸化炭素はそもそも発生せず、安全性を高めている。電熱器４０１は、電気を用いるものであれば特に限定されないが、１５００Ｗのシーズヒータを挙げることができる。
【００４５】
温水導水パイプ４０２は、素材が柔軟に曲げることのできる架橋ポリパイプ製であり、内径１０ｍｍ外形１５ｍｍである。図示したように、岩盤板３１１に近接した平面上に蛇行させるようにしている。間隔は種々設定できるが、たとえば、７ｃｍ間隔とすることができる。温水を環流させ、かつ、パイプが一定間隔で面を形成して板に接するようにしているので、温度ムラが生じにくく岩盤板３１１の温度の立ち上がりを早くすることができる。なお、熱伝導率を考慮して、温水導水パイプとして、ステンレスチューブや、銅（銅合金）または、アルミ（アルミ合金）からなるチューブを用いてもよい。
【００４６】
ポンプ４０３は、特に形式にはこだわらない。水流を作れば十分である。したがって、モータ等でもよい。
【００４７】
温水導水パイプ４０２の経路の途中には圧力開放タンク４０４が設けられており、これにより、加熱により水の膨張が生じてもその圧力を逃すようにしている。圧力開放タンク４０４は、ゴムボールを用いてもよい。圧力開放タンク４０４を用いることにより、温水導水パイプ４０２の経路を閉鎖することができ、水の補給は不要となる。また、熱効率も上昇することとなる。なお、温水導水パイプ４０２の総延長や圧力開放タンク４０４の容量にもよるが、この経路中の水の容量は１．５リットル〜２．５リットルとすることができる。この程度の量であると、岩盤板３１１へ熱伝達をする媒体としての量が十分であり（すなわち途中で熱を奪われすぎない量として十分であり）、また、熱源との関係で温まりにくいほど大量でなく、適量である。
【００４８】
なお、経路上には更に、熱交換器４０５を備え、熱をもう一つの経路（温水導水パイプ３１８）に伝える。図５は、主として玉石３２１等を温める経路を説明する模式図である。なお、図５には説明の便宜上、温水導水パイプ４０２は記載していない。同様に、図４では説明の便宜上温水導水パイプ３１８は省略している。
【００４９】
図示したように、温水導水パイプ３１８は、途中で二つの経路（経路Ａ、経路Ｂ）に分かれている。経路Ａにはバルブ４０６を設けてあり、これにより経路Ａの水流（熱伝達）を止めることができるようにしている。なお、バルブ４０６の開閉は湿度調整つまみ３０２に連動させるようにしている。
【００５０】
バルブ４０６が閉じてある場合は、経路Ｂのみが生き、熱交換器４０５により電熱器４０１からの熱が水を介して玉石３２１を温め、温浴効果を発揮させる。したがって、Ａ経路を閉じているときは、岩盤浴ユニット１００は、純粋な岩盤浴を提供することとなる（ただし、石の種類が異なっているときは相乗効果も期待できる）。
【００５１】
一方、バルブ４０６が開放されているときは、Ａ経路もＢ経路も生きる。これにより、Ａ経路によっても玉石３２１が温められ、温度の立ち上がりがよくなる。また、Ａ経路は、蒸気桶３３０に接続されており、加湿機構を実現している。蒸気桶３３０の水面からは蒸気が放出され、室の中では蒸気が充満するようになっている。なお、蒸気桶３３０の下には、排水バルブ４０７が設けられており、ここから水抜きができるようになっている。水の補給は、ボトルを接続し水面が低下したら適時補給されるようになっている（図示せず）。なお、本例では、経路Ａ経路Ｂはポンプを設けず自然対流をさせている。
【００５２】
このように、温水導水パイプ３１８と、温水導水パイプ４０２と、を独立させることにより、それぞれの温水の状態を制御可能となる。
【００５３】
次に、温水導水パイプ４０２の上下の構成を説明する。図６は、温水導水パイプ４０２の設置状況を表した模式図である。図示したように、温水導水パイプ４０２は、岩盤板３１１と、中板３１４部分の真下に設けられ、端板３１５と端板３１６部分には張り巡らされていない。これにより水の総熱容量を小さくし、熱効率を高めている。また、頭部分が熱せられないため、利用者がのぼせることを防ぎ、長時間の岩盤浴が可能となる。
【００５４】
温水導水パイプ４０２は、断熱板６０１の上面に埋設され、アルミ板６０２とアルミテープ６０３で被覆されている。温水導水パイプ４０２を断熱板６０１上面に埋設することにより熱が下部に放散するのを防ぎ、アルミ板６０２側（岩盤板３１１側）へ集中して放熱することができる。断熱板６０１は特に限定されないが、たとえばウレタンフォームやスタイルフォームを使うことができる。また、アルミ板６０２上に岩盤板３１１と中板３１４と端板３１５と端板３１６とが着脱可能に敷設されることとなるが、アルミ板６０２を採用することにより、板を取り外したときに適宜水気の拭き取りおよび除菌殺菌を行うことができ、衛生的である。なお、アルミ板６０２に替え、銅板を用いると熱伝達効率がより上昇する。
【００５５】
図７は、温水導水パイプ４０２と断熱板６０１とアルミ板６０２とアルミテープ６０３の配置関係を示した図６のＡ−Ａ断面部分図である。本実施例では図７（ａ）を採用しているが、この他、アルミテープ６０３で温水導水パイプ４０２を囲って面状にしてもよいし（図７（ｂ））、アルミ板を単に載置してもよい（図７（ｃ））。
【００５６】
岩盤浴ユニット１００は上記のような簡便な構成であり、コンクリートを用いないため軽く、可搬性を実現している。ベッド体３００は、総重量が６５ｋｇ程度であるが、岩盤板３１１や玉石３２１を除去し、水も抜くと６０ｋｇ未満となり、容易に移動が可能である。また、使用しないときは、適宜テーブルクロスその他の敷物を掛け、花瓶等をおいても、外観が木目調であるので、違和感なく家庭に導入できる。
【００５７】
室内の温度設定は、各種機材の能力と岩盤等の熱容量に依存するが、湿度は７０％を超えると発汗作用を促進できるため、７５％程度とする。また、岩盤板温度は４２度〜５０度、室内温度は３５度程度以上にするのが好ましい。１５００Ｗの電熱器を用いることにより、管内の温度を７０度程度として５０分程度で上記温度帯湿度帯に達することができる。これは引用文献２などの蓄熱型では使用可能となるまで３時間程度の立ち上げ時間がかかっていることを考えると大幅に短縮されたこととなる。
【００５８】
使用に際しては、岩盤板にバスタオルを敷き、端板には適宜枕を備えるようにしてもよい。
【００５９】
なお、図示していないが、岩盤浴ユニット１００には、アルミ板６０２などに適宜温度センサを設けて温度制御をするようにしている。また、乾燥に際しては、カバー体２００を取り外し、バルブ４０６を閉め、電熱器４０１に通電させると、強制乾燥が可能となる。
【００６０】
この他、本発明は、種々の実施の形態を採用することができる。たとえば、以上の説明では、岩盤浴ユニット１００は、熱交換器４０５を用いて、温水導水パイプ３１８の経路と温水導水パイプ４０２の経路を独立させたが、熱交換器４０５を介在させることなく、同一経路としてもよい。また、経路を途中で分岐させ、湿度管理ができるように流量調整バルブを設けるようにしてもよい。また、経路は独立させたまま、別個に電熱器を用いて、各々温めるようにしてもよい。
【００６１】
この他、カバー体の形状に関しても、利用者が使用に支障をきたさないように種々の形状を採用できる。図８は、カバー体の他の構成例を示した図である。図示したように、カバー体２００’は、出入口から見て、奥側の上辺を長手方向に切り欠き、５角柱の形状としている。このようにすることにより、室内の容積を小さくすることができ、室内の熱容量を少なくすることができ、熱電効率を上昇させることができ、ひいては、電熱器の小型化、消費電力の抑制が可能となる。
【産業上の利用可能性】
【００６２】
本発明によれば、岩盤浴の他に蒸気浴、森林浴も可能となる。また、岩盤を好みのもの（自分に効くもの）に取り替えることができる。
【図面の簡単な説明】
【００６３】
【図１】本発明の岩盤浴ユニットの外観斜視図である。
【図２】本発明の岩盤浴ユニットのベッド体の外観斜視図である。
【図３】本発明の岩盤浴ユニットのベッド体の平面図である。
【図４】本発明の熱伝達機構のうち、主として岩盤板を加熱する部分を説明する模式図である。
【図５】主として玉石等を温める経路を説明する模式図である。
【図６】温水導水パイプの設置状況を表した模式図である。
【図７】温水導水パイプと断熱板とアルミ板とアルミテープの配置関係を示した図６のＡ−Ａ断面部分図である。
【図８】カバー体の他の構成例を示した図である。
【符号の説明】
【００６４】
１００  岩盤浴ユニット
２００，２００’        カバー体
２０１  透明窓
２０２  出入口
２０３  取っ手
３００  ベッド体
３０１  温度調整つまみ
３０２  湿度調整つまみ
３０３  温度モニタ
３０４  湿度モニタ
３１１  岩盤板
３１４  中板
３１５  端板
３１６  端板
３１７  接合縁
３１８  温水導水パイプ
３２０  玉石部
３２１  玉石
３２２  玉石桶
３３０  蒸気桶
４０１  電熱器
４０２  温水導水パイプ
４０３  ポンプ
４０４  圧力開放タンク
４０５  熱交換器
４０６  バルブ
４０７  排水バルブ
６０１  断熱板
６０２  アルミ板
６０３  アルミテープ
【図１】
2009018076.tif 000003
【図２】
2009018076.tif 000004
【図３】
2009018076.tif 000005
【図４】
2009018076.tif 000006
【図５】
2009018076.tif 000007
【図６】
2009018076.tif 000008
【図７】
2009018076.tif 000009
【図８】
2009018076.tif 000010